(57)【要約】【課題】調整帯域のゲインを更新する際に発生する不連続点によるノイズを極力抑制する。【解決手段】デジタル音声信号のレベルをデジタル信号処理により減衰させる減衰手段と、減衰手段の出力信号に対し、所定の周波数帯域について、設定されたゲインをデジタル信号処理により付与する特性調整手段と、特性調整手段の出力信号のレベルを調整するレベル調整手段と、減衰手段、特性調整手段、及びレベル調整手段を制御する制御手段とを備えた周波数特性調整装置において、制御手段により、特性調整手段におけるゲインの設定値を減少させる場合、まず、レベル調整手段のゲインを所定量減少させ（ステップ２５）、次に、特性調整手段のゲイン設定値を更新し（ステップ２６）、その後、減衰手段の減衰量を所定量減少させる（ステップ２７）ようにする。【選択図】図２
2010252278.tif 000002
【特許請求の範囲】
【請求項１】
デジタル音声信号のレベルをデジタル信号処理により減衰させる減衰手段と、
前記減衰手段の出力信号に対し、所定の周波数帯域について、設定されたゲインをデジタル信号処理により付与する特性調整手段と、
前記特性調整手段の出力信号のレベルを調整するレベル調整手段と、
前記減衰手段、特性調整手段、及びレベル調整手段を制御する制御手段とを備え、
前記制御手段は、前記特性調整手段におけるゲインの設定値を減少させる場合、まず、前記レベル調整手段のゲインを所定量減少させ、次に、前記特性調整手段のゲイン設定値を更新し、その後、前記減衰手段の減衰量を所定量減少させることを特徴とする周波数特性調整装置。
【請求項２】
前記特性調整手段におけるゲインの設定値を減少させる場合の減少量、前記レベル調整手段のゲインを所定量減少させるときの減少量、及び前記減衰手段の減衰量を所定量減少させるときの減少量は等しいことを特徴とする請求項１に記載の周波数特性調整装置。
【請求項３】
前記制御手段は、前記特性調整手段におけるゲインの設定値を増大させる場合、まず、前記減衰手段の減衰量を所定量増大させ、次に、前記特性調整手段のゲイン設定値を更新し、その後、前記レベル調整手段のゲインを所定量増大させることを特徴とする請求項１又は２に記載の周波数特性調整装置。
【請求項４】
請求項１〜３のいずれかの周波数特性調整装置における制御手段としてコンピュータを機能させることを特徴とするプログラム。
【請求項５】
デジタル音声信号のレベルをデジタル信号処理により減衰させる減衰手段と、
前記減衰手段の出力信号に対し、所定の周波数帯域について、設定されたゲインをデジタル信号処理により付与する特性調整手段と、
前記特性調整手段の出力信号のレベルを調整するレベル調整手段とを備えた周波数特性調整装置における周波数特性調整方法であって、
前記減衰手段、特性調整手段、及びレベル調整手段を制御する制御工程を備え、
前記制御工程では、前記特性調整手段におけるゲインの設定値を減少させる場合、まず、前記レベル調整手段のゲインを所定量減少させ、次に、前記特性調整手段のゲイン設定値を更新し、その後、前記減衰手段の減衰量を所定量減少させることを特徴とする周波数特性調整装方法。
【発明の詳細な説明】
【技術分野】
【０００１】
本発明は、音声信号の周波数特性を調整する周波数特性調整装置、該装置における制御手段としてコンピュータを機能させるプログラム、及び該装置に適した周波数特性調整方法に関する。
【背景技術】
【０００２】
従来、入力音声信号について、所定の周波数帯域のレベルを増減することにより周波数特性の調整を行う周波数特性調整装置が知られている。周波数特性調整装置はたとえば図１に示すように、入力される左右チャンネルのアナログ音声信号Ｌ及びＲをデジタル音声信号に変換するＡＤ変換器１、ＡＤ変換器１からのデジタル音声信号に対して所定の信号処理を施すＤＳＰ（デジタル・シグナル・プロセッサ）２、ＤＳＰ２からのデジタル音声信号をアナログ音声信号に変換するＤＡ変換器３、ＤＡ変換器３からのアナログ音声信号のレベルを調整するための電子ボリューム４、ＤＳＰ２及び電子ボリューム４を制御するマイコン５を備える。ＤＳＰ２はＡＤ変換器１からのデジタル音声信号のレベルを減少させるアッテネータ２ａ、アッテネータ２ａからのデジタル音声信号に対し、所定の周波数帯域について、設定されたゲインを付与するイコライザ２ｂを備える。装置からの出力音声信号は、ユーザによる聴取に供される。
【０００３】
図１０は従来の周波数特性調整装置におけるゲイン更新処理の一例を示すフローチャートである。ゲイン更新処理は、イコライザ２ｂにおけるゲインの設定値を更新する処理である。ゲイン更新処理を開始すると、マイコン５は、まず、イコライザ２ｂのフィルタ係数が更新される際に発生する信号の不連続点におけるノイズが出力されるのを防止するために、電子ボリューム４をミュート状態に設定する（ステップ１０１）。次に、アッテネータ２ａに付与するアッテネータ係数を更新することにより、アッテネータ２ａにおける減衰量の設定値を更新する（ステップ１０２）。新たな設定値は、次のステップ１０３の設定値更新後におけるイコライザ２ｂのゲイン設定値に等しい減衰量とされる。イコライザ２ｂにおけるブースト処理によるクリップの発生を防止するためである。次に、イコライザ２ｂに付与するイコライザ係数（フィルタ係数）を更新することにより、イコライザ２ｂにおけるゲイン設定値の更新を行う（ステップ１０３）。次に、アッテネータ２１における減衰量の更新（ステップ１０２）により減衰量が増大した分だけブースト量が増大するように、電子ボリューム４の設定値を更新する（ステップ１０４）。アッテネータ２１により減衰されるレベルを元に戻すためである。そして、電子ボリューム４によるミュートを解除する（ステップ１０５）。これにより、ゲイン更新処理が終了する。なお、アッテネータ２ａの減衰量と、電子ボリューム４のゲインの増加量は等しくする必要はあるが、アッテネータ２ａの減衰量は、イコライザ２ｂのゲイン設定値と等しくする必要はなく、イコライザ２ｂのゲイン設定値よりも大きくし、確実にクリップを防止するようにしてもよい。たとえば、イコライザ２ｂのゲイン設定値を＋１［ｄＢ］とする場合、アッテネータ２ａの減衰量の設定値を−４［ｄＢ］、電子ボリューム４のブースト量を＋４［ｄＢ］として、３［ｄＢ］分のマージンをとるようにしてもよい。
【０００４】
このようなゲイン更新処理においてＳ／Ｎ比の悪化やＤＳＰでの演算によるクリップの発生を防止するようにした技術は、たとえば特許文献１や特許文献２において開示されている。特許文献１の技術においては、ＤＳＰにおいて高域成分強調処理及び低域成分強調処理を行わない場合には、ＤＳＰにおける減衰処理を行わないようにすることによってＳ／Ｎ比の悪化を防止するようにしている。特許文献２の技術においては、図１０の処理の場合と同様に、入力デジタルオーディオ信号について増幅する周波数成分がある場合に、該周波数成分の増幅前に、その増幅量の最大値分だけ信号を減衰させるとともに、該周波数成分の増幅後、減衰させた分だけ増幅することにより、Ｓ／Ｎ比やダイナミックレンジの悪化を防止するようにしている。この場合も、特許文献１の場合と同様、増幅する周波数成分がない場合には、予め減衰させる処理は行わないようにしている（特許文献２の段落００５０参照）。
【先行技術文献】
【特許文献】
【０００５】
【特許文献１】特開平６−１３８２６号公報
【特許文献２】特開平９−１０２７１９号公報
【発明の概要】
【発明が解決しようとする課題】
【０００６】
しかしながら、上述図１０の従来技術によれば、ゲイン更新処理に際し、出力音声信号に対してミュートを施すようにしているので、出力音声信号による再生音を聴取しているユーザにとっては、ゲイン設定値の更新による再生音の変化がわかりにくい。また、ミュートによって、聴取中の再生音が途切れてしまう。
【０００７】
また、上述の特許文献１や２の技術によれば、所定帯域成分の強調を行う際に、音声信号をミュートする処理を行っていないため、強調により音声信号に発生する不連続点がノイズとなって出力されるおそれがある。
【０００８】
本発明の目的は、かかる従来技術の問題点に鑑み、周波数特性調整装置において、調整帯域のゲインを更新する際に発生する不連続点によるノイズを極力抑制することにある。
【課題を解決するための手段】
【０００９】
この目的を達成するため、第１の発明に係る周波数特性調整装置は、デジタル音声信号のレベルをデジタル信号処理により減衰させる減衰手段と、前記減衰手段の出力信号に対し、所定の周波数帯域について、設定されたゲインをデジタル信号処理により付与する特性調整手段と、前記特性調整手段の出力信号のレベルを調整するレベル調整手段と、前記減衰手段、特性調整手段、及びレベル調整手段を制御する制御手段とを備え、前記制御手段は、前記特性調整手段におけるゲインの設定値を減少させる場合、まず、前記レベル調整手段のゲインを所定量減少させ、次に、前記特性調整手段のゲイン設定値を更新し、その後、前記減衰手段の減衰量を所定量減少させることを特徴とする。
【００１０】
第２の発明に係る周波数特性調整装置は、第１発明において、前記特性調整手段におけるゲインの設定値を減少させる場合の減少量、前記レベル調整手段のゲインを所定量減少させるときの減少量、及び前記減衰手段の減衰量を所定量減少させるときの減少量は等しいことを特徴とする。
【００１１】
第３の発明に係る周波数特性調整装置は、第１又は第２発明において、前記制御手段は、前記特性調整手段におけるゲインの設定値を増大させる場合、まず、前記減衰手段の減衰量を所定量増大させ、次に、前記特性調整手段のゲイン設定値を更新し、その後、前記レベル調整手段のゲインを所定量増大させることを特徴とする。
【００１２】
第４の発明に係るプログラムは、第１〜第３のいずれかの発明に係る周波数特性調整装置における制御手段としてコンピュータを機能させることを特徴とする。
【００１３】
第５の発明に係る周波数特性調整方法は、  デジタル音声信号のレベルをデジタル信号処理により減衰させる減衰手段と、
前記減衰手段の出力信号に対し、所定の周波数帯域について、設定されたゲインをデジタル信号処理により付与する特性調整手段と、前記特性調整手段の出力信号のレベルを調整するレベル調整手段とを備えた周波数特性調整装置における周波数特性調整方法であって、前記減衰手段、特性調整手段、及びレベル調整手段を制御する制御工程を備え、前記制御工程では、前記特性調整手段におけるゲインの設定値を減少させる場合、まず、前記レベル調整手段のゲインを所定量減少させ、次に、前記特性調整手段のゲイン設定値を更新し、その後、前記減衰手段の減衰量を所定量減少させることを特徴とする。
【発明の効果】
【００１４】
本発明によれば、特性調整手段におけるゲインの設定値を更新するに際して発生する不連続点によるノイズを極力抑制することができる。
【図面の簡単な説明】
【００１５】
【図１】本発明の一実施形態に係る周波数特性調整装置の構成を示すブロック図である。
【図２】図１の装置におけるゲイン更新処理を示すフローチャートである。
【図３】図２の処理においてイコライザのゲインが増大される場合の図１の装置における各設定値及び出力レベルの変化の一例を示す図である。
【図４】図３の例によるゲイン更新処理が行われるときの図１の装置の出力信号における調整帯域の中心周波数の波形図である。
【図５】図３の例によるゲイン更新処理が行われるときの図１の装置の出力信号における調整帯域以外の周波数の波形図である。
【図６】図２の処理においてイコライザのゲインが減少される場合の図１の装置における各設定値及び出力レベルの変化の他の例を示す図である。
【図７】図６の例によるゲイン更新処理が行われるときの図１の装置の出力信号における調整帯域の中心周波数の波形図である。
【図８】図６の例によるゲイン更新処理が行われるときの図１の装置の出力信号における調整帯域以外の周波数の波形図である。
【図９】本発明の他の実施形態に係る周波数特性調整装置の構成を示すブロック図である。
【図１０】従来の周波数特性調整装置におけるゲイン更新処理を示すフローチャートである。
【図１１】従来のようにアッテネータの設定値の更新を先に行い、電子ボリュームの設定値の変更を後で行うようにした点以外は図６の場合と同様にしてゲイン更新処理を行う場合の各設定値及び出力レベルの変化を示す図である。
【発明を実施するための形態】
【００１６】
図１は本発明の一実施形態に係る周波数特性調整装置の構成を示すブロック図である。同図に示すように、この装置は、入力される左右チャンネルのアナログ音声信号Ｌ及びＲをデジタル音声信号に変換するＡＤ変換器１、ＡＤ変換器１からのデジタル音声信号に対して所定の信号処理を施すＤＳＰ（デジタル・シグナル・プロセッサ）２、ＤＳＰ２からのデジタル音声信号をアナログ音声信号に変換するＤＡ変換器３、ＤＡ変換器３からのアナログ音声信号のレベルを調整するための電子ボリューム４、ＤＳＰ２及び電子ボリューム４を制御するマイコン５を備える。電子ボリューム４はマイコン５からの指示に応じて出力をミュートするミュート機能を有する。
【００１７】
ＤＳＰ２はＡＤ変換器１からのデジタル音声信号のレベルを減衰させるアッテネータ２ａ、及びアッテネータ２ａからのデジタル音声信号の周波数特性を調整するイコライザ２ｂを備える。イコライザ２ｂは、所定の調整帯域について、その中心周波数ｆ０におけるゲインが、設定された値となるようにゲインを付与することによって、入力信号の周波数特性の調整を行う。調整帯域以外の他の周波数帯域については影響を与えることはない。
【００１８】
マイコン５はＤＳＰ２における設定値として、アッテネータ２ａの減衰量及びイコライザ２ｂのゲインを設定することができる。アッテネータ２ａの減衰量の設定値は、ＤＳＰ２に付与するアッテネータ係数を更新することにより更新することができる。イコライザ２ｂのゲインの設定値は、ＤＳＰ２に付与するＤＳＰのフィルタ係数（イコライザ係数）を更新することにより更新することができる。
【００１９】
図２はマイコン５によるゲイン更新処理を示すフローチャートである。この処理は、イコライザ２ｂにおけるゲインの設定値を更新する際に行われる処理であり、所定のプログラムに従って行われる。この処理では、従来と異なり、イコライザ２ｂのゲインを減少させる場合には、電子ボリューム４のブースト量を減少させてから、イコライザ２ｂのゲインを減少させ、その後、アッテネータ２ａにおける減衰量を減少（ゲインを増大）させるようにしている。
【００２０】
すなわち、ゲイン更新処理を開始すると、マイコン５は、まずステップ２１において、イコライザ２ｂについてのゲイン設定値の更新はイコライザ２ｂのゲインを増大させるものであるか又は減少させるものであるかを判定する。増大させるものであると判定した場合には、ステップ２２においてアッテネータ２ａにおける減衰量の設定値を更新する。新たな設定値は、イコライザ２ｂの更新後のゲイン設定値に等しい減衰量とされる。ゲイン設定値更新後のイコライザ２ｂにおけるブースト処理によりクリップが発生するのを防止するためである。次に、ステップ２３において、イコライザ２ｂにおけるゲイン設定値の更新を行う。次に、ステップ２４において、電子ボリューム４のブースト量の設定値を更新する。この更新は、ブースト量が、ステップ２２において設定したアッテネータ２ａの減衰量に等しくなるように行われる。これにより、ゲイン更新処理が終了する。これにより、イコライザ２ｂによる調整帯域のみのゲインが増大されることになる。
【００２１】
一方、ステップ２１においてゲインを減少させるものであると判定した場合には、ステップ２５において、電子ボリューム４のブースト量の設定値を更新する。新たな設定値はイコライザ２ｂの更新後のゲイン設定値に等しいブースト量とされる。次に、ステップ２６において、イコライザ２ｂのゲイン設定値を更新する。さらに、ステップ２７においてアッテネータ２ａにおける減衰量の設定値を更新する。新たな設定値は、更新後のイコライザ２ｂのゲイン設定値に等しい減衰量とされる。これにより、ゲイン更新処理が終了する。これにより、イコライザ２ｂによる調整帯域のみのゲインが減少されることになる。
【００２２】
図３はゲイン更新処理における周波数特性調整装置の各設定値及び出力レベルの変化の一例を示す。「初期状態」欄においては、ゲイン更新処理を行う前の初期状態におけるアッテネータ１ａの減衰量Ａ、及びイコライザ１ｂのゲインＧ、並びに電子ボリューム４のブースト量Ｂの各設定値、並びに、調整帯域の中心周波数ｆ０における周波数特性調整装置の出力レベル、及び他の帯域の周波数における周波数特性調整装置の出力レベルが示されている。「ＡＴＴ係数更新」欄においては、アッテネータ１ａの減衰量Ａの更新（ステップ２２）直後における各設定値及び出力レベルが示されている。「ＤＳＰ係数更新」欄においては、イコライザ１ｂのゲインＧの更新（ステップ２３）直後における各設定値及び出力レベルが示されている。「Ｅｖｏｌ更新」欄においては、電子ボリューム４のブースト量Ｂの更新（ステップ２４）直後における各設定値及び出力レベルが示されている。
【００２３】
図３の例では、イコライザ２ｂのゲインＧを＋１［ｄＢ］から＋２［ｄＢ］に１［ｄＢ］だけ増大させる場合について示している。図３の「初期状態」欄に示すように、初期状態における各設定値は、減衰量Ａが−１［ｄＢ］、ゲインＧが＋１［ｄＢ］、ブースト量Ｂが＋１［ｄＢ］である。また、初期状態における出力レベルは、調整帯域の中心周波数ｆ０において＋１［ｄＢ］、他の帯域の周波数において±０［ｄＢ］である。この場合、図２の処理によれば、まず、アッテネータ２ａの減衰量Ａが−２［ｄＢ］に更新され（ステップ２２）、次に、イコライザ２ｂのゲインＧが＋２［ｄＢ］に更新され（ステップ２３）、そして電子ボリューム４のブースト量Ｂが＋２［ｄＢ］に更新される（ステップ２４）。
【００２４】
、
その際、図３の「ＡＴＴ係数更新」欄で示されるように、アッテネータ２ａの減衰量Ａが−２［ｄＢ］に更新されたとき、減衰量が１［ｄＢ］増大するので、出力レベルは調整帯域の中心周波数ｆ０及び他の帯域の周波数において、ともに１［ｄＢ］減少し、それぞれ±０［ｄＢ］及び−１［ｄＢ］となる。次に、「ＤＳＰ係数更新」欄に示すように、イコライザ２ｂのゲインＧが＋２［ｄＢ］に更新されると、出力レベルは調整帯域の中心周波数ｆ０では１［ｄＢ］増加して＋１［ｄＢ］となる。他の帯域の周波数では、影響を受けないので、−１［ｄＢ］のままである。次に、「Ｅｖｏｌ更新」欄で示されるように、電子ボリューム４のブースト量Ｂが＋２［ｄＢ］に更新されると、出力レベルは調整帯域の中心周波数ｆ０及び他の帯域の周波数においてともに１［ｄＢ］増加し、それぞれ＋２［ｄＢ］及び±０［ｄＢ］となる。これにより、他の帯域の周波数に影響を与えることなく、調整帯域の中心周波数ｆ０におけるレベルを１［ｄＢ］増大させたことになる。
【００２５】
図４及び図５は図１の装置のゲイン更新処理時における出力信号波形の一例を示す。図３のようにしてイコライザ２ｂのゲインＧが増大される場合について示している。図４の波形は調整帯域の中心周波数ｆ０における出力信号の波形である。図５の波形は他の帯域の周波数における出力信号の波形である。図４中の４１〜４４は、それぞれ初期状態（ゲイン更新処理の開始前）、アッテネータ２ａの減衰量Ａの更新時（図３中の「ＡＴＴ係数更新」；ステップ２２）、イコライザ２ｂのゲインＧの更新時（「ＤＳＰ係数更新」；ステップ２３）、及び電子ボリューム４のブースト量Ｂの更新時（「Ｅｖｏｌ更新」；ステップ２４）に対応する波形部分である。図５中の５１〜５４は、それぞれ同様の時点に対応する波形部分である。
【００２６】
図４及び図５で示されるように、ゲイン更新処理に際しては、波形部分４１及び５１で示される初期状態において、波形部分４２及び５２のように、減衰量Ａの更新によって一旦レベルを減衰させてから、波形部分４３のように、ゲインＧの更新によって調整帯域のみゲインを増大させ（他の帯域の波形部分５３はそのまま）、その後、波形部分４４及び５４のように、ブースト量Ｂの更新によって減衰量分を元に戻すようにしている。これにより、他の帯域に影響を与えることなく、調整帯域のみゲインを増大させるようにしている。
【００２７】
図６はゲイン更新処理における周波数特性調整装置の各設定値及び出力レベルの変化の他の例を示す。この例では、イコライザ２ｂのゲインＧを＋２［ｄＢ］から＋１［ｄＢ］に１［ｄＢ］だけ減少させる場合について示している。この場合、図６の「初期状態」欄に示すように、初期状態における各部の設定値及び装置の出力レベルは、図３の例によるゲイン更新処理が行われた後の状態、すなわち図３の「Ｅｖｏｌ更新」欄における各部の設定値及び出力レベルと同じである。この場合、図２のゲイン更新処理によれば、まず、電子ボリューム４のブースト量Ｂが＋１［ｄＢ］に更新され（ステップ２５）、次に、イコライザ２ｂのゲインＧが＋１［ｄＢ］に更新され（ステップ２６）、そしてアッテネータ２ａの減衰量Ａが−１［ｄＢ］に更新される（ステップ２７）。
【００２８】
その際、ブースト量Ｂが＋１［ｄＢ］に更新されたとき（ステップ２５）、図６の「Ｅｖｏｌ更新」欄に示すように、調整帯域の中心周波数ｆ０及び他の帯域の周波数における出力レベルは１[ｄＢ]減少し、それぞれ＋１［ｄＢ］及び−１［ｄＢ］となる。イコライザ２ｂのゲインＧが＋１［ｄＢ］に更新されたとき（ステップ２６）、「ＤＳＰ係数更新」欄に示すように、調整帯域の中心周波数ｆ０における出力レベルは、±０［ｄＢ］となる。他の帯域の周波数では影響を受けないので、−１［ｄＢ］のままである。アッテネータ２ａの減衰量Ａが−１［ｄＢ］に更新されたとき（ステップ２７）、「ＡＴＴ係数更新」欄に示すように、調整帯域の中心周波数ｆ０及び他の帯域の周波数における出力レベルはともに１［ｄＢ］増加し、それぞれ＋１［ｄＢ］及び±０［ｄＢ］となる。これにより他の帯域に影響を与えることなく、調整帯域について、その中心周波数ｆ０における出力レベルが１［ｄＢ］減少するように調整が行われたことになる。
【００２９】
図７及び図８は図６の例によるゲイン更新処理が行われるときの周波数特性調整装置の出力信号の波形を示す。図７の波形は調整帯域の中心周波数ｆ０における出力信号の波形である。図８の波形は他の帯域の周波数における出力信号の波形である。図７中の７１〜７４は、それぞれ初期状態（ゲイン更新処理の開始前）、電子ボリューム４のブースト量Ｂの更新時（図６中の「Ｅｖｏｌ更新」；ステップ２５）、イコライザ２ｂのゲインＧの更新時（「ＤＳＰ係数更新」；ステップ２６）、及びアッテネータ２ａの減衰量Ａの更新時（「ＡＴＴ係数更新」；ステップ２７）の波形部分である。図８中の８１〜８４も、それぞれ同様の時点における波形部分である。
【００３０】
図７及び図８で示されるように、ゲイン更新処理においては、波形部分７１及び８１で示される初期状態において、波形部分７２及び８２のように、ブースト量Ｂの更新により一旦レベルを減衰させから、波形部分７３及び８３のように、ゲインＧの更新によって調整帯域のみゲインを減少させ（他の帯域の波形部分８３はそのまま）、その後、波形部分７４及び８４のように、レベルの減衰分を、減衰量Ａの更新によって元に戻すようにしている。これにより、他の帯域に影響を与えることなく、調整帯域のみゲインを減少させるようにしている。
【００３１】
図１１は従来のようにアッテネータの減衰量Ａの更新を先に行い、電子ボリュームのブースト量Ｂの更新を後で行うようにした点以外は図６の場合と同様にしてゲイン更新処理を行う場合の各設定値及び出力レベルの変化を示す。この場合、まず、アッテネータ２ａの減衰量Ａが、イコライザ２ｂの新たなゲインＧと同量の減衰を与える−１［ｄＢ］に更新され、次に、イコライザ２ｂのゲインＧが＋１［ｄＢ］に更新され、そして電子ボリューム４のブースト量Ｂが、減衰量Ａを相殺するように、＋１［ｄＢ］に更新される。しかしその際、アッテネータ２ａの減衰量Ａを更新したとき、出力レベルは調整帯域の中心周波数ｆ０において＋３［ｄＢ］となり、更新前よりも１［ｄＢ］増大する。このことは、ゲイン更新処理により発生する音声信号における不連続点を目立たせることになる。
【００３２】
これに対し、本発明に従った図６の例によれば、電子ボリュームのブースト量Ｂの更新が先に行われ、アッテネータの減衰量Ａの更新は後で行われるので、出力レベルが２［ｄＢ］よりも低い状態でゲイン更新処理が行われることになる。このため、ゲイン更新処理により発生する不連続点を目立たせることはない。すなわち、イコライザ２ｂのゲインＧを減少させる場合、減少分だけアッテネータ２ａの減衰量Ａを減少させる（ゲインを増大させる）ので、従来のように減衰量Ａの更新を先に行うと、必ず出力レベルを増大させることになる。これに対し、本実施形態によれば、電子ボリュームのブースト量Ｂを先に減少させ、アッテネータの減衰量Ａの減少を後で行うようにしたため、ゲイン更新処理は、中心周波数ｆ０については出力レベルが初期状態よりも減少した状態で行われて完了し、調整帯域外の周波数については、初期状態よりも減少した状態で行われ、初期状態に戻され、完了する。したがって、不連続点を目立たせることなく、ゲイン更新処理を行うことができる。なお、イコライザ２ｂのゲインＧを増大させる場合も、図３〜図５に示されるように、出力レベルを減少させた状態で、不連続点を目立たせることなく、ゲイン更新処理を行うことができる。
【００３３】
以上説明したように、本実施形態によれば、ゲイン更新処理に際し、イコライザ２ｂのゲインを減少させる場合には、アッテネータ２ａの減衰量の更新を後で行い、電子ボリューム４のブースト量の更新を先に行うようにしたため、ゲイン更新処理によって生じる不連続点によるノイズを目立たなくすることができる。したがって、従来行っていた、ゲイン設定処理の前後におけるミュートのオン・オフを省略することができる。したがって、ゲイン設定処理に際して出力音声信号がミュートにより途切れるのを回避することができるとともに、出力音声信号に基づいた聴取を行っているユーザは、中心周波数ｆ０におけるゲインの変化を容易に認識することができる。また、イコライザ２ｂによるゲイン分だけ、アッテネータ２ａにより減衰を施して、イコライザ２ｂへの入力レベルを下げるようにしたため、イコライザ２ｂによりクリップが生じるのを防止することができる。
【００３４】
なお、本発明は上述実施形態に限定されることなく、適宜変形して実施することができる。たとえば上述においては、ボリューム調整手段として、ＤＳＰ２とは別個の電子ボリューム４を用いるようにしているが、電子ボリューム４の代わりに、図９に示すように、ＤＳＰ２により構成されたデジタルボリューム２ｃを用いるようにしてもよい。
【００３５】
また、上述においては言及しなかったが、イコライザ２ｂによる調整対象となる帯域及び中心周波数ｆ０は、たとえば、ユーザの指示に応じた複数の帯域及び中心周波数であってもよい。その場合、ゲイン設定処理においては、中心周波数毎に指示されたゲインをイコライザ２ｂに設定するようにしてもよい。この場合、アッテネータ２ａの減衰量の更新は、指示された各中心周波数のゲインのうちの最大値に等しい減衰量となるように行えばよい。
【符号の説明】
【００３６】
１：ＡＤ変換器、２：ＤＳＰ、２ａ：アッテネータ、２ｂ：イコライザ、２ｃ：デジタルボリューム、３：ＤＡ変換器、４：電子ボリューム、５：マイコン。
【図１】
2010252278.tif 000003
【図２】
2010252278.tif 000004
【図３】
2010252278.tif 000005
【図４】
2010252278.tif 000006
【図５】
2010252278.tif 000007
【図６】
2010252278.tif 000008
【図７】
2010252278.tif 000009
【図８】
2010252278.tif 000010
【図９】
2010252278.tif 000011
【図１０】
2010252278.tif 000012
【図１１】
2010252278.tif 000013